(57)【特許請求の範囲】
【請求項１】
工事用エレベータの搬器において、荷台床の下面要所には複数箇所でロードセルが固着配設され、搬器荷台支持部側には前記ロードセルに対応する各位置で、そのロードセルの下向き作動ポイント軸心線に中心を合致させてロードセル受けボルトを上下調節可能に螺合配設され、このようなロードセル付設位置の近傍に、前記荷台床と搬器の荷台床支持部とを上下に繋いで前記ロードセル受けボルトを所要量下降させると、ロードセル受けボルトとロードセルの作動ポイントとの接触を断って負荷が除かれる状態で荷台床を前記荷台床支持部に支持する位置決め機構がそれぞれ配設されていることを特徴とする工事用エレベータの搬器における荷台床支持装置。
【請求項２】
前記位置決め機構は、搬器フレームの荷台床支持部から上向きに直立固着される位置決めピンと、荷台床から垂下固着されるスリーブとが、前記位置決めピンに被嵌するブッシュを介して上下に摺動可能に嵌合され、前記ロードセル受けボルトを下降させてロードセルから離れさせると、前記荷台床支持部の上面に前記スリーブ下端が受け止められてロードセルの作動ポイントとロードセル受けボルトとが離された状態で荷台床を保持できる構成である請求項１に記載の工事用エレベータの搬器における荷台床支持装置。
【発明の詳細な説明】
【０００１】
【発明の属する技術分野】
本発明は、工事用エレベータの搬器における荷台床支持装置に関するものであって、詳しくは荷台床が搬器の組立終了まで荷重計測器と切り離されて安全に取り扱いできるようにされる支持構造に関するものである。
【０００２】
【従来の技術】
一般に工事用エレベータにあっては、搬器に搭載できる荷重がその搬器の床面積に応じ規則によって定められており、オーバーロードでは運転できないように構成されている。そのために、通常、搬器には床部に荷重計が組み込まれて、その床部に定格荷重以上の荷重が載ると昇降機の駆動装置の電源が遮断されて運転できないようになる過荷重制限装置を備えている。
【０００３】
前述の過荷重制限装置は、その一例として図４にて示されるように、搬器の荷台支持梁４１上に取り付けられた荷重計測器（ロードセル）１５Ａの作動ポイント１５ａ上に、荷台床枠体４２の下面に取り付くロードセル受け板４３を当接させて荷台床１０Ａに作用する負荷を計測する構成になっている。また、組立作業時に前記荷台床１０Ａ側のロードセル受け板４３が荷台支持梁４１上のロードセル１５Ａに対して正しく合致させるとともに定位置で固定（ただし上下には僅かに可動的に）できるように隣接部に位置決めピン４５で荷台床１０Ａを取り付ける構造となっている。
【０００４】
【発明が解決しようとする課題】
しかしながら、工事用エレベータは、いうまでもなく仮設機械であるので短期間で移設することになり、それに伴って組立分解がしばしば行われるものである。したがって、前述の構造では、輸送時に荷台床を搬器内に組み合わせ状態のままであると、振動などの外力を受けて荷重計測器（ロードセル）が破損する危険性がある。そのために、荷台床を搬器内から取り外して輸送し、次の設置現場において組み立てるようにされている。当然、据え付け作業に際して手数を要することになる。
【０００５】
また、輸送時には荷重計の要部（作動ポイント）が露出したままになるので、外部からの異物が接触しないようにその養生を必要とし、取扱上で不都合なことが多く生じる。
【０００６】
本発明では、このような問題点を解決するために、荷台床を搬器内に組み立てた状態で、輸送時には荷重計測器の作動ポイントに負荷がかからないようにして搬送でき、使用状態には支持部を簡単に操作して設定できる構成の工事用エレベータの搬器における荷台床の支持装置を提供することを目的とする。
【０００７】
【課題を解決するための手段】
このような目的を達成するために、本発明の工事用エレベータの搬器における荷台床支持装置は、
工事用エレベータの搬器において、荷台床の下面要所には複数箇所でロードセルが固着配設され、搬器荷台支持部側には前記ロードセルに対応する各位置で、そのロードセルの下向き作動ポイント軸心線に中心を合致させてロードセル受けボルトを上下調節可能に螺合配設され、このようなロードセル付設位置の近傍に、前記荷台床と搬器の荷台床支持部とを上下に繋いで前記ロードセル受けボルトを所要量下降させると、ロードセル受けボルトとロードセルの作動ポイントとの接触を断って負荷が除かれる状態で荷台床を前記荷台床支持部に支持する位置決め機構がそれぞれ配設されていることを特徴とするものである。
【０００８】
前記位置決め機構としては、搬器フレームの荷台床支持部から上向きに直立固着される位置決めピンと、荷台床から垂下固着されるスリーブとが、前記位置決めピンに被嵌するブッシュを介して上下に摺動可能に嵌合され、前記ロードセル受けボルトを下降させてロードセルから離れさせると前記荷台床支持部の上面に前記スリーブ下端が受け止められてロードセルの作動ポイントとロードセル受けボルトとが離された状態で荷台床を保持できるようにすることが好ましい。
【０００９】
このように構成される本発明の荷台床支持装置によれば、組立使用時にはロードセル受けボルトを上昇させ、このロードセル受けボルト頂端にロードセルの作動ポイントを受支させて荷台床を支持する。この際、近傍に設けられている位置決めピンと、荷台床から垂下固着されるスリーブとは、前記位置決めピンに被嵌するブッシュを介して上下に摺動可能に嵌合されることによって、前記ロードセルの作動ポイントとロードセル受けボルトとの軸心線の合致が保証され、荷台床に作用する負荷がロードセルによって正しく計測できる。この状態で前記荷台床から垂下するスリーブの下端は、搬器フレームの荷台床支持部側の位置決めピン取付部上面との間に隙間が形成され、ロードセルの負荷計測を妨げることがないようにされる。また、各ロードセルは、前述のように複数箇所でそれぞれロードセル受けボルトを昇降操作して個々に負荷の作用力が調整できるので、それぞれ適切な接触支持状態に設定できて正確な荷重検出が可能になる。
【００１０】
搬器を解体して輸送するときには、ロードセル受けボルトを正常位置から逆回転させて下降することにより、前記荷台床下側に固着の位置決め部分にあるスリーブ下端が搬器フレームの荷台床支持部上面に接するまで荷台床が降ろされ、さらに、そのロードセル受けボルトを下げることによって、荷台床は前記スリーブにより搬器フレームの荷台床支持部上に直接支持され、ロードセル受けボルト端とロードセルの作動ポイントとの接触が断たれる。その結果、ロードセルは無負荷になって作動ポイントに外力が作用せず、安全に運搬などが行える。再使用時には、位置決めピンにより常にロードセル作動軸心が維持されているので、ロードセル受けボルトを上昇させることにより速やかに使用可能な状態に設定できる。
【００１１】
【発明の実施の形態】
次に、本発明の工事用エレベータの搬器における荷台床支持装置について、その一実施例の具体的な図面を参照しつつ説明する。
【００１２】
図１に示されるのは、本発明に係る工事用エレベータの搬器における荷台床支持装置を備える昇降機の一例の外観正面図である。図２は、本発明に係る荷台床支持装置を示す一部縦断詳細図で、使用状態を表す図である。図３は、ロードセルの作動を解除した状態を表す図である。
【００１３】
図１で示される工事用エレベータ１は、支持鉄塔２の側面に沿って設けられるラック３と駆動機の出力軸に取り付くピニオンとの噛み合いで搬器６が昇降する形式のものである。この工事用エレベータ１の搬器６は、支持鉄塔２の前側面に付設されたガイドレール４に案内支持される昇降フレームに連結して取り付けられている。そして、搬器６を構成する搬器フレーム７の下部において、この搬器６内にて荷台床１０が支持されている。
【００１４】
搬器６内の床を構成する荷台床１０は、搬器フレーム７の上に独立して設けられ、所要の配分で複数の荷重計測器を介して取り付けられている。この荷重計測器としては、圧縮形のロードセル１５（以下、荷重計測器をロードセルという）が採用される。
【００１５】
前記荷台床１０は、所要寸法で枠組みされた床構成枠体１１の上面に床板１２が一体に取り付けられて搬器６の内法に収まる形状にされ、その床構成枠体１１の下面に所定の配分で複数箇所（この具体例では４箇所）に取り付けられるそれぞれの支持座板１３に、図２で示されるように、床構成支持梁１１ａの直下位置に対応してロードセル１５が作動ポイント１５’を下向きにして取付プレート１４を介して取り付けられる。
【００１６】
この各ロードセル１５の取付部に対向する搬器フレーム７の下部で前方へ水平に張り出した荷台床支持部７’には、ロードセル受けボルト１７が前記ロードセル１５の作動ポイント１５’軸心と中心を合致させて上下移動可能なように、その搬器フレーム７の荷台床支持部７’に取り付くボス部８に設けたネジ孔８’に螺合して配設されている。このロードセル受けボルト１７は、上面が平坦で、その反対端（搬器フレーム７の荷台支持床７’下側）でレンチによって回動して上下動させ、前記ロードセル１５の作動ポイント１５’に当接させて負荷を受支できるようにされており、設定後ロックナット１８によって固定できるようになっている。
【００１７】
前記ロードセル１５とロードセル受けボルト１７とによる荷台床１０の支持部に隣接して位置決め機構２０がそれぞれ設けられる。この位置決め機構２０は、搬器フレーム７側で基端部をネジ締結して直立固着される位置決めピン２１と、この位置決めピン２１に被嵌して設定される荷台床１０に付設のスリーブ２２とで構成される。
【００１８】
位置決め機構２０の位置決めピン２１は、前述のように基端部を搬器フレーム７の荷台床支持部７’にネジ締結されて荷台床１０と組み合わせた状態で、その荷台床１０側の支持座板１３上方に突き出す長さ寸法にされている。荷台床１０に付設のスリーブ２２は、上端を支持座板１３に取り付けられて、この支持座板１３から垂設され、内部に前記位置決めピン２１の上下動が円滑なようにブッシュ２３が嵌設されている。そして、このスリーブ２２は、図２で示されるように、前記ロードセル受けボルト１７の頂端がロードセル１５の作動ポイント１５’に当接して荷台床１０を支持している状態で、そのスリーブ２２の下端と位置決めピン２１の取付部における搬器フレーム７の荷台床支持部７’上面との間で適宜寸法の隙間が生じるように前記支持座板１３の下面からの垂下寸法が設定されている。図中符号２４は座金、２５は抜け止め用の割ピンで組立後割ピン孔２５’に取り付けられる。
【００１９】
このように構成された本発明に係る搬器における荷台床支持装置１は、搬器６が運転される状態に組み立てる際、荷台床１０に複数付設されている各ロードセル１５の作動ポイント１５’に対して搬器フレーム７の荷台床支持部７’に付設の各ロードセル受けボルト１７をその荷台床支持部７’の下側で回動操作してネジ孔８’部で上昇させれば、ロードセル受けボルト１７の頂端がロードセル１５の作動ポイント１５’に当接されて所要高さに持ち上げられる。この際、隣接位置にある位置決め機構２０のスリーブ２２が荷台床支持部７’に取り付く位置決めピン２１に案内されて、ロードセル１５の作動ポイント１５’とロードセル受けボルト１７とが軸心線を合致させた状態で持ち上げられる。
【００２０】
この状態でロードセル１５が持ち上げられると、荷台床１０側に取り付く位置決め機構２０のスリーブ２２の下端と荷台床支持部７’の上面との間に隙間が形成されて、ロードセル１５の作動ポイント１５’はロードセル受けボルト１７の頂端にて確実に支持され、荷台床１０に作用する負荷が正しく計測できる状態になる。なお、各ロードセル支持部では、前述のロードセル受けボルト１７によるロードセル１５の作動ポイント１５’の持ち上げ支持状態を調整することにより、予め荷重計の荷重表示制御部において設定されている基準値に揃うように調整することができる。また、位置決めピン２１とスリーブ２２との間には、ブッシュ２３が介在しているので、位置決めピン２１に対してスリーブ２２側は円滑に上下動でき、ロードセルの作動ポイント１５’に対する荷重の作用力を妨げることはない。
【００２１】
エレベータの使用期間が終了して解体され、搬器６を取り外して保管場所に輸送する場合、この搬器６を取り外す前に荷台床１０を実質的に支持している各ロードセル受けボルト１７を組立時と逆に操作して下降させることにより、付設されている位置決め機構２０の位置決めピン２１にスリーブ２２が案内されてロードセル１５とロードセル受けボルト１７との軸心線が合致する状態を維持して荷台床１０が下降することになる。そして、前記スリーブ２２の下端が荷台床支持部７’の上面に接触すれば、図３で示されるように、以後は荷台床１０がスリーブ２２を介して搬器フレームの荷台床支持部７’に載置され、ロードセル受けボルト１７に対する負荷が除かれるので、このロードセル受けボルト１７を頂端がそのロードセルの作動ポイント１５’から適宜寸法離れるようにしてロックナット１８で固定しておく。このようにすることで、ロードセルの作動ポイント１５’には外力が作用しなくなり、輸送時並びに保管時に安全に保持されることになる。
【００２２】
また、この実施例のように、ロードセルは、荷台床の下面に作動ポイントを下向きにして取り付けられていても、その作動ポイントの位置よりも位置決め機構のスリーブが下向きに長く垂設されているので、荷台床を搬器フレームの荷台床支持部から取り外して床などに直接置くような場合でも、前記スリーブ端にて受け止められてロードセルを傷めることはない。
【００２３】
【発明の効果】
上述のように、本発明によれば、組立時に荷台床の複数箇所に配設される各ロードセルが負荷を正しく分担して計測できるように位置決めされ、かつ受支部において調整して設定することができ、輸送時にはロードセルに負荷が作用しないように、負荷の受支部を退避させることができる。しかも、これらの操作がごく簡単に行えて仮設の装置であるにも関わらず要部を安全に保護することができる。したがって、使用時には、搬器荷台床に作用する荷重の検出を正確に検知して安全を期すことができる。
【図面の簡単な説明】
【図１】図１は、本発明に係る工事用エレベータの搬器における荷台床支持装置を備える昇降機の一例の外観正面図である。
【図２】図２は、本発明に係る荷台床支持装置を示す一部縦断詳細図で、使用状態を表す図である。
【図３】図３は、ロードセルの作動を解除した状態を表す図である。
【図４】図４は、従来の荷台床支持装置の一例における要部を示す一部断面図である。
【符号の説明】
１                工事用エレベータ
２                支持鉄塔
６                搬器
７                搬器フレーム
７’              搬器フレームの荷台床支持部
８                ボス部
１０              荷台床
１１              床構成枠体
１２              床板
１３              支持座板
１５              ロードセル
１５’            ロードセルの作動ポイント
１７              ロードセル受けボルト
１８              ロックナット
２０              位置決め機構
２１              位置決めピン
２２              スリーブ
２３              ブッシュ
【図１】
0003893548.tif 000002
【図２】
0003893548.tif 000003
【図３】
0003893548.tif 000004
【図４】
0003893548.tif 000005